(57)【要約】【課題】ヒューマンエラーによるリスクを無くし、調剤業務の時間を短縮ひいては患者の待ち時間を短縮し、薬局の運用の効率化に寄与できるようにすることを目的とする。【解決手段】患者ＱＲコード１０２に薬剤の一包化、薬剤の粉砕、帳票の印字サイズなどの患者個人の調剤情報としてを記録し、患者ＱＲコード１０２をお薬手帳１１１に印刷する。調剤管理装置２００は、ＱＲコードスキャナ１２０を用いて患者ＱＲコード１０２を読み取り、患者ＱＲコード１０２に記録された患者個人の調剤情報に基づいて調剤処理を行う。例えば、調剤管理装置２００は、各印刷機（または印字機）を制御し、患者用の印字サイズでお薬手帳ラベル１１２、お薬カード１１３、薬袋１１４などを印刷する。また、調剤管理装置２００は、薬剤粉砕機１２７を制御して薬剤を粉砕し、また薬剤分包機１２６を制御して薬剤を一包化する。【選択図】図１
2012203810.tif 000002
【特許請求の範囲】
【請求項１】
帳票の印字サイズを記録した調剤管理コードを読み取る読み取り装置から前記調剤管理コードに記録された帳票の印字サイズを入力する調剤管理コード読み取り部と、
調剤される調剤薬に関する調剤薬情報を記憶する記憶装置から前記調剤薬情報を入力し、前記調剤管理コード読み取り部が入力した帳票の印字サイズで前記調剤薬情報を前記所定の帳票に印刷装置を用いて印字する帳票生成部と
を備えることを特徴とする調剤管理装置。
【請求項２】
前記調剤管理コードは、さらに、薬袋への調剤薬の袋詰め方法を示す薬袋情報を記録し、
前記調剤管理コード読み取り部は、前記読み取り装置から前記調剤管理コードに記録された薬袋情報を入力し、
前記調剤管理装置は、さらに、
前記調剤管理コード読み取り部が入力した薬袋情報に基づいて薬袋の表記を印刷装置を用いて印刷する薬袋生成部を備える
ことを特徴とする請求項１記載の調剤管理装置。
【請求項３】
前記調剤管理コードは、さらに、調剤薬を一包化するか否かを示す一包化情報を記録し、
前記調剤管理コード読み取り部は、前記読み取り装置から前記調剤管理コードに記録された一包化情報を入力し、
前記調剤管理装置は、さらに、
前記調剤管理コード読み取り部が入力した一包化情報に基づいて一包化するか否かを判定し、一包化する場合、調剤薬を包装する調剤機器に一包化を指示する調剤指示部を備える
ことを特徴とする請求項１または請求項２記載の調剤管理装置。
【請求項４】
前記調剤管理コードは、さらに、薬剤を粉砕するか否かを示す粉砕要否情報を記録し、
前記調剤管理コード読み取り部は、前記読み取り装置から前記調剤管理コードに記録された粉砕要否情報を入力し、
前記調剤指示部は、前記調剤管理コード読み取り部が入力した粉砕要否情報に基づいて薬剤を粉砕するか否かを判定し、薬剤を粉砕する場合、薬剤を粉砕する調剤機器に薬剤の粉砕を指示する
ことを特徴とする請求項３記載の調剤管理装置。
【請求項５】
前記調剤管理コードは、さらに、患者を識別する患者識別子と、患者の特定情報を表示するか否かを示す表示可否情報とを記録し、
前記調剤管理コード読み取り部は、前記読み取り装置から前記調剤管理コードに記録された患者識別子と表示可否情報とを入力し、
前記調剤管理装置は、さらに、
患者識別子と患者の特定情報とを含んだ患者情報を患者毎に記憶する患者情報記憶部と、
前記調剤管理コード読み取り部が入力した患者識別子を対象患者識別子として前記患者情報記憶部を検索し、前記対象患者識別子と一致する患者識別子を含んだ患者情報を対象患者情報として取得する患者情報検索部と、
前記調剤管理コード読み取り部が入力した表示可否情報に基づいて患者の特定情報を表示するか否かを判定し、患者の特定情報を表示しない場合、前記対象患者情報に含まれる患者の特定情報を除いた情報を表示装置に表示する患者情報表示部とを備える
ことを特徴とする請求項１から請求項４いずれかに記載の調剤管理装置。
【請求項６】
前記調剤管理装置は、さらに、
帳票の印字サイズを入力装置から入力する調剤管理情報入力部と、
前記調剤管理情報入力部が入力した帳票の印字サイズに基づいて前記帳票の印字サイズを記録した二次元コードを前記調剤管理コードとして生成する調剤管理コード生成部と、
前記調剤管理コード生成部によって生成された調剤管理コードを印刷装置を用いて印刷する調剤管理コード出力部と
を備えたことを特徴とする請求項１から請求項５いずれかに記載の調剤管理装置。
【請求項７】
調剤管理コード読み取り部が、帳票の印字サイズを記録した調剤管理コードを読み取る読み取り装置から前記調剤管理コードに記録された帳票の印字サイズを入力し、
帳票生成部が、調剤される調剤薬に関する調剤薬情報を記憶する記憶装置から前記調剤薬情報を入力し、前記調剤管理コード読み取り部が入力した帳票の印字サイズで前記調剤薬情報を前記所定の帳票に印刷装置を用いて印字する
ことを特徴とする調剤管理装置の調剤管理方法。
【請求項８】
帳票の印字サイズを記録した調剤管理コードを読み取る読み取り装置から前記調剤管理コードに記録された帳票の印字サイズを入力する調剤管理コード読み取り部と、
調剤される調剤薬に関する調剤薬情報を記憶する記憶装置から前記調剤薬情報を入力し、前記調剤管理コード読み取り部が入力した帳票の印字サイズで前記調剤薬情報を前記所定の帳票に印刷装置を用いて印字する帳票生成部として
コンピュータを機能させることを特徴とする調剤管理プログラム。
【請求項９】
帳票の印字サイズを入力装置から入力する調剤管理情報入力部と、
前記調剤管理情報入力部が入力した帳票の印字サイズに基づいて前記帳票の印字サイズを記録した二次元コードを調剤管理コードとして生成する調剤管理コード生成部と、
前記調剤管理コード生成部によって生成された調剤管理コードを印刷装置を用いて印刷する調剤管理コード出力部と
を備えることを特徴とする調剤管理コード生成装置。
【請求項１０】
帳票の印字サイズを入力装置から入力する調剤管理情報入力部と、
前記調剤管理情報入力部が入力した帳票の印字サイズに基づいて前記帳票の印字サイズを記録した二次元コードを調剤管理コードとして生成する調剤管理コード生成部と、
前記調剤管理コード生成部によって生成された調剤管理コードを印刷装置を用いて印刷する調剤管理コード出力部として
コンピュータを機能させることを特徴とする調剤管理コード生成プログラム。
【請求項１１】
請求項１から請求項６いずれかに記載の調剤管理装置と、
請求項９記載の調剤管理コード生成装置とを備え、
前記調剤管理コード読み取り部は、前記調剤管理コード出力部によって印刷された調剤管理コードの帳票の印字サイズを入力する
ことを特徴とする調剤管理システム。
【請求項１２】
薬袋への調剤薬の袋詰め方法を示す薬袋情報を記録した調剤管理コードを読み取る読み取り装置から前記調剤管理コードに記録された薬袋情報を入力する調剤管理コード読み取り部と、
前記調剤管理コード読み取り部が入力した薬袋情報に基づいて薬袋の表記を印刷装置を用いて印刷する薬袋生成部と
を備えることを特徴とする調剤管理装置。
【請求項１３】
調剤薬を一包化するか否かを示す一包化情報を記録した調剤管理コードを読み取る読み取り装置から前記調剤管理コードに記録された一包化情報を入力する調剤管理コード読み取り部と、
前記調剤管理コード読み取り部が入力した一包化情報に基づいて一包化するか否かを判定し、一包化する場合、調剤薬を包装する調剤機器に一包化を指示する調剤指示部と
を備えることを特徴とする調剤管理装置。
【請求項１４】
薬剤を粉砕するか否かを示す粉砕要否情報を記録した調剤管理コードを読み取る読み取り装置から前記調剤管理コードに記録された粉砕要否情報を入力する調剤管理コード読み取り部と、
前記調剤管理コード読み取り部が入力した粉砕要否情報に基づいて薬剤を粉砕するか否かを判定し、薬剤を粉砕する場合、薬剤を粉砕する調剤機器に薬剤の粉砕を指示する調剤指示部と
を備えることを特徴とする調剤管理装置。
【請求項１５】
患者を識別する患者識別子と、患者の特定情報を表示するか否かを示す表示可否情報とを記録した調剤管理コードを読み取る読み取り装置から前記調剤管理コードに記録された患者識別子と表示可否情報とを入力する調剤管理コード読み取り部と、
患者識別子と患者の特定情報とを含んだ患者情報を患者毎に記憶する患者情報記憶部と、
前記調剤管理コード読み取り部が入力した患者識別子を対象患者識別子として前記患者情報記憶部を検索し、前記対象患者識別子と一致する患者識別子を含んだ患者情報を対象患者情報として取得する患者情報検索部と、
前記調剤管理コード読み取り部が入力した表示可否情報に基づいて患者の特定情報を表示するか否かを判定し、患者の特定情報を表示しない場合、前記対象患者情報に含まれる患者の特定情報を除いた情報を表示装置に表示する患者情報表示部と
を備えることを特徴とする調剤管理装置。
【発明の詳細な説明】
【技術分野】
【０００１】
本発明は、例えば、患者別に調剤情報の管理を行う調剤管理装置、調剤管理装置の調剤管理方法、調剤管理プログラム、調剤管理コード生成装置、調剤管理コード生成プログラムおよび調剤管理システムに関するものである。
【背景技術】
【０００２】
従来の調剤システムでは、患者毎に調剤方法（調剤薬の一包化や薬剤の粉砕等）を注記・コメント等として記録する。受付の担当者はその記載内容を確認し、随時、患者の調剤方法に合わせて調剤システムのシステム設定を変更する。
このため、以下のような課題が存在している。
【０００３】
（１）患者の調剤方法の見落し又は見間違いによって調剤システムのシステム設定をミスしてしまうヒューマンエラーが発生し易い。
（２）患者毎に手動で調剤システムのシステム設定を変更するため、手間が掛かり、業務の効率化の弊害となっている。
【先行技術文献】
【特許文献】
【０００４】
【特許文献１】特開２００３−１４１２５３号公報
【特許文献２】特開２００６−２４３８８０号公報
【特許文献３】特開２００９−３２２２５号公報
【発明の概要】
【発明が解決しようとする課題】
【０００５】
本発明は、例えば、ヒューマンエラーによるリスクを無くし、調剤業務の時間を短縮ひいては患者の待ち時間を短縮し、薬局の運用の効率化に寄与できるようにすることを目的とする。
【課題を解決するための手段】
【０００６】
本発明の調剤管理装置は、
帳票の印字サイズを記録した調剤管理コードを読み取る読み取り装置から前記調剤管理コードに記録された帳票の印字サイズを入力する調剤管理コード読み取り部と、
調剤される調剤薬に関する調剤薬情報を記憶する記憶装置から前記調剤薬情報を入力し、前記調剤管理コード読み取り部が入力した帳票の印字サイズで前記調剤薬情報を前記所定の帳票に印刷装置を用いて印字する帳票生成部とを備える。
【０００７】
前記調剤管理コードは、さらに、薬袋への調剤薬の袋詰め方法を示す薬袋情報を記録し、
前記調剤管理コード読み取り部は、前記読み取り装置から前記調剤管理コードに記録された薬袋情報を入力し、
前記調剤管理装置は、さらに、
前記調剤管理コード読み取り部が入力した薬袋情報に基づいて薬袋の表記を印刷装置を用いて印刷する薬袋生成部を備える。
【０００８】
前記調剤管理コードは、さらに、調剤薬を一包化するか否かを示す一包化情報を記録し、
前記調剤管理コード読み取り部は、前記読み取り装置から前記調剤管理コードに記録された一包化情報を入力し、
前記調剤管理装置は、さらに、
前記調剤管理コード読み取り部が入力した一包化情報に基づいて一包化するか否かを判定し、一包化する場合、調剤薬を包装する調剤機器に一包化を指示する調剤指示部を備える。
【０００９】
前記調剤管理コードは、さらに、薬剤を粉砕するか否かを示す粉砕要否情報を記録し、
前記調剤管理コード読み取り部は、前記読み取り装置から前記調剤管理コードに記録された粉砕要否情報を入力し、
前記調剤指示部は、前記調剤管理コード読み取り部が入力した粉砕要否情報に基づいて薬剤を粉砕するか否かを判定し、薬剤を粉砕する場合、薬剤を粉砕する調剤機器に薬剤の粉砕を指示する。
【００１０】
前記調剤管理コードは、さらに、患者を識別する患者識別子と、患者の特定情報を表示するか否かを示す表示可否情報とを記録し、
前記調剤管理コード読み取り部は、前記読み取り装置から前記調剤管理コードに記録された患者識別子と表示可否情報とを入力し、
前記調剤管理装置は、さらに、
患者識別子と患者の特定情報とを含んだ患者情報を患者毎に記憶する患者情報記憶部と、
前記調剤管理コード読み取り部が入力した患者識別子を対象患者識別子として前記患者情報記憶部を検索し、前記対象患者識別子と一致する患者識別子を含んだ患者情報を対象患者情報として取得する患者情報検索部と、
前記調剤管理コード読み取り部が入力した表示可否情報に基づいて患者の特定情報を表示するか否かを判定し、患者の特定情報を表示しない場合、前記対象患者情報に含まれる患者の特定情報を除いた情報を表示装置に表示する患者情報表示部とを備える。
【００１１】
前記調剤管理装置は、さらに、
帳票の印字サイズを入力装置から入力する調剤管理情報入力部と、
前記調剤管理情報入力部が入力した帳票の印字サイズに基づいて前記帳票の印字サイズを記録した二次元コードを前記調剤管理コードとして生成する調剤管理コード生成部と、
前記調剤管理コード生成部によって生成された調剤管理コードを印刷装置を用いて印刷する調剤管理コード出力部とを備える。
【００１２】
本発明の調剤管理装置の調剤管理方法は、
調剤管理コード読み取り部が、帳票の印字サイズを記録した調剤管理コードを読み取る読み取り装置から前記調剤管理コードに記録された帳票の印字サイズを入力し、
帳票生成部が、調剤される調剤薬に関する調剤薬情報を記憶する記憶装置から前記調剤薬情報を入力し、前記調剤管理コード読み取り部が入力した帳票の印字サイズで前記調剤薬情報を前記所定の帳票に印刷装置を用いて印字する。
【００１３】
本発明の調剤管理プログラムは、
帳票の印字サイズを記録した調剤管理コードを読み取る読み取り装置から前記調剤管理コードに記録された帳票の印字サイズを入力する調剤管理コード読み取り部と、
調剤される調剤薬に関する調剤薬情報を記憶する記憶装置から前記調剤薬情報を入力し、前記調剤管理コード読み取り部が入力した帳票の印字サイズで前記調剤薬情報を前記所定の帳票に印刷装置を用いて印字する帳票生成部としてコンピュータを機能させる。
【００１４】
本発明の調剤管理コード生成装置は、
帳票の印字サイズを入力装置から入力する調剤管理情報入力部と、
前記調剤管理情報入力部が入力した帳票の印字サイズに基づいて前記帳票の印字サイズを記録した二次元コードを調剤管理コードとして生成する調剤管理コード生成部と、
前記調剤管理コード生成部によって生成された調剤管理コードを印刷装置を用いて印刷する調剤管理コード出力部とを備える。
【００１５】
本発明の調剤管理コード生成プログラムは、
帳票の印字サイズを入力装置から入力する調剤管理情報入力部と、
前記調剤管理情報入力部が入力した帳票の印字サイズに基づいて前記帳票の印字サイズを記録した二次元コードを調剤管理コードとして生成する調剤管理コード生成部と、
前記調剤管理コード生成部によって生成された調剤管理コードを印刷装置を用いて印刷する調剤管理コード出力部としてコンピュータを機能させる。
【００１６】
本発明の調剤管理システムは、
前記調剤管理装置と、
前記調剤管理コード生成装置とを備え、
前記調剤管理コード読み取り部は、前記調剤管理コード出力部によって印刷された調剤管理コードの帳票の印字サイズを入力する。
【００１７】
本発明の調剤管理装置は、
薬袋への調剤薬の袋詰め方法を示す薬袋情報を記録した調剤管理コードを読み取る読み取り装置から前記調剤管理コードに記録された薬袋情報を入力する調剤管理コード読み取り部と、
前記調剤管理コード読み取り部が入力した薬袋情報に基づいて薬袋の表記を印刷装置を用いて印刷する薬袋生成部とを備える。
【００１８】
本発明の調剤管理装置は、
調剤薬を一包化するか否かを示す一包化情報を記録した調剤管理コードを読み取る読み取り装置から前記調剤管理コードに記録された一包化情報を入力する調剤管理コード読み取り部と、
前記調剤管理コード読み取り部が入力した一包化情報に基づいて一包化するか否かを判定し、一包化する場合、調剤薬を包装する調剤機器に一包化を指示する調剤指示部とを備える。
【００１９】
本発明の調剤管理装置は、
薬剤を粉砕するか否かを示す粉砕要否情報を記録した調剤管理コードを読み取る読み取り装置から前記調剤管理コードに記録された粉砕要否情報を入力する調剤管理コード読み取り部と、
前記調剤管理コード読み取り部が入力した粉砕要否情報に基づいて薬剤を粉砕するか否かを判定し、薬剤を粉砕する場合、薬剤を粉砕する調剤機器に薬剤の粉砕を指示する調剤指示部とを備える。
【００２０】
本発明の調剤管理装置は、
患者を識別する患者識別子と、患者の特定情報を表示するか否かを示す表示可否情報とを記録した調剤管理コードを読み取る読み取り装置から前記調剤管理コードに記録された患者識別子と表示可否情報とを入力する調剤管理コード読み取り部と、
患者識別子と患者の特定情報とを含んだ患者情報を患者毎に記憶する患者情報記憶部と、
前記調剤管理コード読み取り部が入力した患者識別子を対象患者識別子として前記患者情報記憶部を検索し、前記対象患者識別子と一致する患者識別子を含んだ患者情報を対象患者情報として取得する患者情報検索部と、
前記調剤管理コード読み取り部が入力した表示可否情報に基づいて患者の特定情報を表示するか否かを判定し、患者の特定情報を表示しない場合、前記対象患者情報に含まれる患者の特定情報を除いた情報を表示装置に表示する患者情報表示部とを備える。
【発明の効果】
【００２１】
本発明によれば、例えば、ヒューマンエラーによるリスクを無くし、調剤業務の時間を短縮ひいては患者の待ち時間を短縮し、薬局の運用の効率化に寄与することができる。
本発明の調剤管理装置を有する調剤薬局においては、従来の“かかりつけ薬局”だけでなく、初めて受診する薬局においても、上記と同様のサービスを受けられる。
【図面の簡単な説明】
【００２２】
【図１】実施の形態１における調剤システム１００の構成図。
【図２】実施の形態１における調剤管理装置２００の機能構成図。
【図３】実施の形態１における調剤管理システム２０１の構成図。
【図４】実施の形態１における調剤管理装置２００の調剤管理方法を示すフローチャート。
【図５】実施の形態１における患者ＱＲデータ２９１を示す図。
【図６】実施の形態１における患者ＱＲデータ２９１を示す図。
【図７】実施の形態１における投薬指導画面１３０の一例を示す図。
【図８】実施の形態１における調剤管理装置２００のハードウェア資源の一例を示す図。
【発明を実施するための形態】
【００２３】
実施の形態１．
患者に対する調剤方法を記録（設定）したＱＲコード（登録商標、以下同様）をお薬手帳に印刷し、患者が調剤薬局に来局したときにお薬手帳のＱＲコードから調剤方法を読み込み、読み込んだ調剤方法に従って患者に対して調剤業務を行う調剤システムについて説明する。
【００２４】
図１は、実施の形態１における調剤システム１００の構成図である。
実施の形態１における調剤システム１００の構成について、図１に基づいて説明する。
【００２５】
処方箋１１０には処方箋ＱＲコード１０１が印刷されている。処方箋ＱＲコード１０１は、患者に処方された処方薬の情報が記録された二次元コードである。
お薬手帳１１１には患者ＱＲコード１０２が印刷されている。患者ＱＲコード１０２は、患者に対する調剤方法の情報が記録された二次元コードである。
【００２６】
例えば、患者ＱＲコード１０２は、印刷物の印字サイズ、薬剤の一包化、薬剤の粉砕、病名告示、薬剤の袋詰め方法などを指定する情報を調剤方法の情報として記録している。
【００２７】
調剤管理装置２００は、調剤薬局で使用するコンピュータである。
調剤管理装置２００は、ＱＲコードスキャナ１２０を用いて処方箋ＱＲコード１０１から処方薬の情報を読み取り、患者ＱＲコード１０２から患者に対する調剤方法の情報を読み取る。
調剤管理装置２００は、処方箋ＱＲコード１０１と患者ＱＲコード１０２とから読み取った情報に基づいて調剤処理を行う。
【００２８】
例えば、調剤管理装置２００は、以下のような調剤処理を行う。
（１）調剤管理装置２００は、お薬ラベル印刷機１２２を制御し、処方薬の情報を患者ＱＲコード１０２に指定された印字サイズで印字してお薬手帳ラベル１１２を生成する。お薬手帳ラベル１１２は処方された薬剤の情報を記載したシールであり、お薬手帳１１１に貼って使用される。
（２）調剤管理装置２００は、お薬カード印刷機１２３を制御し、処方薬の情報を患者ＱＲコード１０２に指定された印字サイズで印字してお薬カード１１３を生成する。お薬カード１１３は処方された薬剤の情報を記載した用紙であり、「薬情（薬剤情報）」とも呼ばれる。
（３）調剤管理装置２００は、薬袋印字機１２４を制御し、薬剤の服用方法を患者ＱＲコード１０２に指定された薬剤の袋詰め方法に基づいて薬袋１１４に印字する。
（４）調剤管理装置２００は、患者ＱＲコード１０２に薬剤の一包化が指定されている場合、薬剤分包機１２６を制御して薬剤を一包化する。
（５）調剤管理装置２００は、患者ＱＲコード１０２に薬剤の粉砕が指定されている場合、薬剤粉砕機１２７を制御して薬剤を粉砕する。
（６）調剤管理装置２００は、患者ＱＲコード１０２に病名の未告示が指定されている場合、投薬指導時の画面（投薬指導画面１３０）に病名を表示しない。
（７）調剤管理装置２００は、薬剤分包機１２６を制御し、患者ＱＲコード１０２に指定された袋詰め方法で薬剤を薬袋１１４に袋詰めする。
（８）調剤管理装置２００は、薬剤の一包化や薬剤の粉砕に対する手数料を勘案して請求金額を算出し、領収書印刷機１２５を制御して請求金額を領収書１１５に印字する。
【００２９】
図２は、実施の形態１における調剤管理装置２００の機能構成図である。
実施の形態１における調剤管理装置２００の機能構成について、図２に基づいて説明する。
【００３０】
調剤管理装置２００（調剤管理装置、調剤管理コード生成装置の一例）は、患者ＱＲデータ入力部２１０と、患者ＱＲデータ生成部２１１と、お薬手帳生成部２１２とを備える。
さらに、調剤管理装置２００は、処方箋データ入力部２２０と患者ＱＲコード読み取り部２２１とを備える。
さらに、調剤管理装置２００は、調剤指示部２３０と、印刷物生成部２４０と、投薬指導画面表示部２５０と、会計処理部２６０とを備える。
さらに、調剤管理装置２００は調剤管理記憶部２９０を備える。
【００３１】
患者ＱＲデータ入力部２１０（調剤管理情報入力部の一例）は、患者ＱＲコード１０２（調剤管理コードの一例）に記録する情報を入力装置から入力する（調剤管理情報入力処理の一例）。
以下、患者ＱＲコード１０２に記録する情報を「患者ＱＲデータ２９１」という。
【００３２】
帳票の印字サイズ、一包化情報、粉砕要否情報、患者識別子、表示可否情報、薬袋情報は患者ＱＲコード１０２に記録する情報の一例である。
【００３３】
帳票の印字サイズは帳票に印字する文字のサイズを示す（例えば、後述する「手帳印字サイズ」「カード印字サイズ」「帳票印字サイズ」）。
一包化情報は調剤薬を一包化するか否かを示す（例えば、後述する「一包化希望」）。
粉砕要否情報は薬剤（錠剤、カプセル等）を粉砕するか否かを示す（例えば、後述する「粉砕希望」）。
患者識別子は患者を識別する（例えば、後述する「患者カナ氏名」）。
表示可否情報は患者の特定情報を表示するか否かを示す（例えば、後述する「病名告示」）。
薬袋情報は薬袋への調剤薬の袋詰め方法を示す（例えば、後述する「薬袋イメージ」）。
【００３４】
患者ＱＲデータ生成部２１１（調剤管理コード生成部の一例）は、患者ＱＲデータ入力部２１０が入力した患者ＱＲデータ２９１に基づいて患者ＱＲデータ２９１を記録した二次元コードを患者ＱＲコード１０２として生成する（調剤管理コード生成処理の一例）。
【００３５】
お薬手帳生成部２１２（調剤管理コード出力部の一例）は、患者ＱＲデータ生成部２１１によって生成された患者ＱＲコード１０２を印刷装置を用いて印刷する（調剤管理コード出力処理の一例）。
【００３６】
処方箋データ入力部２２０は、処方箋データ２９２を入力機器から入力する（処方箋データ入力処理の一例）。
例えば、処方箋データ入力部２２０は、処方箋１１０の処方箋ＱＲコード１０１を読み取るＱＲコードスキャナ１２０（入力機器の一例）から処方箋ＱＲコード１０１に記録された処方薬の情報を処方箋データ２９２として入力する。
【００３７】
患者ＱＲコード読み取り部２２１（調剤管理コード読み取り部の一例）は、お薬手帳１１１の患者ＱＲコード１０２を読み取るＱＲコードスキャナ１２０（読み取り装置の一例）から患者ＱＲコード１０２に記録された患者ＱＲデータ２９１を入力する（調剤管理コード読み取り処理の一例）。
【００３８】
調剤指示部２３０は、患者ＱＲコード読み取り部２２１が入力した患者ＱＲデータ２９１に基づいて調剤機器に対して調剤方法を指示する（調剤指示処理の一例）。
例えば、調剤指示部２３０は、患者ＱＲコード読み取り部２２１が入力した一包化情報に基づいて一包化するか否かを判定する。一包化する場合、調剤指示部２３０は調剤薬を包装する調剤機器（薬剤分包機１２６）に一包化を指示する。
また、調剤指示部２３０は、患者ＱＲコード読み取り部２２１が入力した粉砕要否情報に基づいて薬剤を粉砕するか否かを判定する。薬剤を粉砕する場合、調剤指示部２３０は薬剤を粉砕する調剤機器（薬剤粉砕機１２７）に薬剤の粉砕を指示する。
【００３９】
印刷物生成部２４０（帳票生成部、薬袋生成部の一例）は、患者ＱＲデータ２９１に基づいて印刷物を印刷または印刷物に印字する（帳票生成処理、薬袋生成処理の一例）。
印刷物生成部２４０は、お薬手帳ラベル印刷部２４１と、お薬カード印刷部２４２と、薬袋印刷部２４３と、領収書印刷部２４４とを備える。
【００４０】
例えば、印刷物生成部２４０の各構成は、以下のように印刷または印字を行う。
お薬手帳ラベル印刷部２４１は、調剤管理記憶部２９０から処方箋データ２９２（調剤薬情報の一例）を入力し、患者ＱＲデータ２９１に含まれる帳票の印字サイズで処方箋データ２９２をお薬手帳ラベル１１２（帳票の一例）に印刷装置（お薬ラベル印刷機１２２）を用いて印字する。
お薬カード印刷部２４２は、患者ＱＲデータ２９１に含まれる帳票の印字サイズで処方箋データ２９２をお薬カード１１３（帳票の一例）に印字する。
薬袋印刷部２４３は、患者ＱＲデータ２９１に含まれる薬袋情報に基づいて薬袋１１４の表記（例えば、薬剤の服用方法）を印刷装置（薬袋印字機１２４）を用いて印刷する。
領収書印刷部２４４は、患者ＱＲデータ２９１に含まれる帳票の印字サイズで領収書１１５（帳票の一例）を印刷する。
【００４１】
投薬指導画面表示部２５０（患者情報検索部、患者情報表示部の一例）は、患者ＱＲデータ２９１に含まれる患者識別子を対象患者識別子として患者個人データ２９５を検索し、対象患者識別子と一致する患者識別子を含んだ患者情報を対象患者情報として取得する（患者情報検索処理の一例）。
投薬指導画面表示部２５０は、患者ＱＲデータ２９１に含まれる表示可否情報に基づいて患者の特定情報を表示するか否かを判定する。患者の特定情報を表示しない場合、投薬指導画面表示部２５０は対象患者情報に含まれる患者の特定情報を除いた情報を表示装置に表示する（患者情報表示処理の一例）。
【００４２】
会計処理部２６０は、処方箋データ２９２と患者ＱＲデータ２９１とに基づいて調剤料を算出する。
例えば、患者ＱＲデータ２９１に一包化や薬剤の粉砕が指定されている場合、会計処理部２６０は、一包化や薬剤の粉砕に対する手数料を加算して調剤料を算出する。
【００４３】
調剤管理記憶部２９０（患者情報記憶部の一例）は、調剤管理装置２００で使用するデータを記憶機器を用いて記憶する。
患者ＱＲデータ２９１、処方箋データ２９２、標準設定データ２９３、薬剤データ２９４、患者個人データ２９５は、調剤管理記憶部２９０に記憶されるデータの一例である。
標準設定データ２９３は、患者ＱＲデータ２９１が無い場合に使用する情報や会計に必要な情報（手数料など）を含んだデータである。
薬剤データ２９４は、薬剤の識別子（例えば、名称）、薬剤の価格、薬剤の種類（例えば、粉末、錠剤）など、薬剤に関する情報を含んだデータである。
患者個人データ２９５は、患者の識別子（例えば、氏名）、病歴など、患者に関する情報を含んだデータである。
【００４４】
調剤管理装置２００は、複数の装置を用いてシステムとして構成しても構わない。
【００４５】
図３は、実施の形態１における調剤管理システム２０１の構成図である。
例えば、図３に示すような調剤管理システム２０１を調剤管理装置２００（図２参照）の代わりに構築しても構わない。
【００４６】
調剤管理サーバ２０２は、図２で説明した患者ＱＲデータ入力部２１０と患者ＱＲデータ生成部２１１とお薬手帳生成部２１２と調剤管理記憶部２９０とを備える。
処方箋入力端末２０３は、処方箋データ入力部２２０と患者ＱＲコード読み取り部２２１と調剤指示部２３０と印刷物生成部２４０とを備える。
投薬／会計端末２０４は、投薬指導画面表示部２５０と会計処理部２６０とを備える。
調剤管理サーバ２０２と処方箋入力端末２０３と投薬／会計端末２０４とは、ＬＡＮ２０５（ネットワークの一例）に接続し、互いに通信を行う。
【００４７】
但し、調剤管理システム２０１は、図３に示す構成以外の構成であっても構わない。
例えば、調剤管理システム２０１を２台の装置または４台以上の装置で構成しても構わない。
【００４８】
図４は、実施の形態１における調剤管理装置２００の調剤管理方法を示すフローチャートである。
実施の形態１における調剤管理装置２００の調剤管理方法について、図４に基づいて説明する。
【００４９】
患者は、処方箋を持って調剤薬局に来局する。お薬手帳１１１を所有している場合、患者はお薬手帳１１１も持参する。
患者は、処方箋を調剤薬局の受付に提出する。
【００５０】
Ｓ１１０において、調剤薬局の受付の担当者は、来局した患者が新規の患者か否かを判断する。ここで、新規の患者とは、患者ＱＲコード１０２が印刷されたお薬手帳１１１を持参していない患者を意味するものとする。
来局した患者が新規患者の場合、受付の担当者は新規患者に問診表やアンケート用紙に質問事項に対する回答を記入してもらう。
来局した患者が新規患者でない場合、患者ＱＲコード１０２が印刷されたお薬手帳１１１を患者から受け取る。
【００５１】
問診表やアンケート用紙には、「患者カナ氏名（フリガナ）」「患者氏名（漢字）」「性別」「生年月日」「住所」「一包化希望」「粉砕希望」「薬ケース有無」「病名告示」「お薬手帳要否」「手帳印字サイズ」「お薬カード要否」「カード印字サイズ」「帳票印字サイズ」「薬袋イメージ」「病歴」などの質問事項を記載しておく。各項目の内容については後述する。
受付の担当者は、キーボードやマウスなどの入力機器を用いて質問事項の回答を調剤管理装置２００に入力する。
【００５２】
調剤管理装置２００の患者ＱＲデータ入力部２１０は、質問事項の回答を入力機器から入力する。
患者ＱＲデータ入力部２１０は、患者個人データ生成部として質問事項の回答に基づいて患者個人データ２９５を生成し、生成した患者個人データ２９５を調剤管理記憶部２９０に記憶する。
例えば、患者個人データ２９５は「患者カナ氏名」「患者氏名」「性別」「生年月日」「住所」「病歴」を含んだデータである。
【００５３】
来局した患者が新規患者の場合（ＹＥＳ）、Ｓ１１１に進む。
来局した患者が新規患者でない場合（ＮＯ）Ｓ１２０に進む。
【００５４】
Ｓ１２０において、患者ＱＲデータ生成部２１１は、Ｓ１１０で入力された質問事項の回答に基づいて患者ＱＲデータ２９１を生成する。
【００５５】
図５、図６は、実施の形態１における患者ＱＲデータ２９１を示す図である。
実施の形態１における患者ＱＲデータ２９１について、図５、図６に基づいて説明する。
【００５６】
図５に示すように、患者ＱＲデータ生成部２１１は、質問事項の回答を設定して患者特性データ１４０と患者処方データ１４１とを生成し、生成した患者特性データ１４０と患者処方データ１４１とを結合して患者ＱＲデータ２９１を生成する。
【００５７】
患者特性データ１４０は、「患者カナ氏名」「患者氏名」「性別」「生年月日」「住所」「一包化希望」「粉砕希望」「薬ケース有無」「病名告示」を含んだデータである。
患者処方データ１４１は、「患者カナ氏名」「患者氏名」「性別」「生年月日」「住所」「お薬手帳要否」「手帳印字サイズ」「お薬カード要否」「カード印字サイズ」「帳票印字サイズ」「薬袋イメージ」を含んだデータである。
【００５８】
「一包化希望」は一包化を希望するか否かを指定する項目であり、一包化とは同時に服用する複数の薬剤を一つにまとめて包装することである。
「粉砕希望」は、薬剤の粉砕を希望するか否かを指定する項目である。
「薬ケース有無」は、調剤された薬剤（例えば、錠剤、カプセル錠）を収納するための薬ケースを患者が持参したか否かを示す項目である。
「病名告示」は、病名を告示するか否かを指定する項目である。
【００５９】
「お薬手帳要否」は、お薬手帳１１１が必要であるか否かを指定する項目である。以下、お薬手帳１１１が必要であるものとして説明する。
「手帳印字サイズ」は、お薬手帳ラベル１１２に印刷する文字のサイズを指定する項目である。例えば、アンケート用紙には「大、中、小」の選択肢があり、「大」「中」「小」と文字サイズとを対応付けた文字サイズデータに基づいて「手帳印字サイズ」が設定される。
「お薬カード要否」は、お薬カード１１３が必要であるか否かを指定する項目である。
「カード印字サイズ」は、お薬カード１１３に印刷する文字のサイズを指定する項目である。「カード印字サイズ」は「手帳印字サイズ」と同様に設定される。
「帳票印字サイズ」は、薬袋１１４や領収書１１５などの帳票に印刷する文字のサイズを指定する項目である。「帳票印字サイズ」は「手帳印字サイズ」と同様に設定される。
「薬袋イメージ」は、薬袋１１４をレセプトイメージと処方箋イメージとのいずれの形式で生成するかを指定する項目である。レセプトイメージは服用するタイミングが異なる複数の薬剤を服用するタイミング毎に分けて薬袋１１４に袋詰めする形式であり、処方箋イメージは複数の診療科から処方された複数の薬剤を診療科毎に分けて薬袋１１４に袋詰めする形式である。
【００６０】
図６に示すように、患者ＱＲデータ２９１は患者特性データ１４０と患者処方データ１４１とを結合したデータである。
【００６１】
図４に戻り、Ｓ１１１の説明を続ける。
【００６２】
お薬手帳生成部２１２は、患者ＱＲデータ生成部２１１によって生成された患者ＱＲデータ２９１に基づいて患者ＱＲデータ２９１を記録したＱＲコードのデータを生成する。
お薬手帳生成部２１２は生成したデータをプリンタに入力してＱＲコードの印刷を指示し、プリンタは予めセットされたお薬手帳１１１にＱＲコードを印刷する。
以下、お薬手帳１１１に印刷されたＱＲコードを「患者ＱＲコード１０２」という。
Ｓ１１１の後、Ｓ１２０に進む。
【００６３】
Ｓ１２０において、受付の担当者は、処方箋１１０の内容（処方された薬剤、服用方法など）を入力機器を用いて調剤管理装置２００に入力する。
例えば、処方箋１１０の内容が記録された処方箋ＱＲコード１０１が処方箋１１０に印刷されている場合、受付の担当者はＱＲコードスキャナ１２０（入力機器の一例）を用いて処方箋ＱＲコード１０１を読み取る。
また、処方箋１１０に処方箋ＱＲコード１０１が印刷されていない場合、受付の担当者は処方箋１１０の内容をキーボードやマウスを用いて調剤管理装置２００に入力する。
【００６４】
処方箋データ入力部２２０は、処方箋１１０の内容を入力機器から入力し、入力した処方箋１１０の内容を処方箋データ２９２として調剤管理記憶部２９０に記憶する。
【００６５】
さらに、受付の担当者は、お薬手帳１１１に印刷された患者ＱＲコード１０２をＱＲコードスキャナ１２０で読み取る。
【００６６】
患者ＱＲコード読み取り部２２１は、患者ＱＲコード１０２に記録されている患者ＱＲデータ２９１をＱＲコードスキャナ１２０から入力し、入力した患者ＱＲデータ２９１を調剤管理記憶部２９０に記憶する。
Ｓ１２０の後、Ｓ１３０に進む。
【００６７】
Ｓ１３０において、調剤指示部２３０は、処方箋データ２９２と患者ＱＲデータ２９１とに基づいて調剤機器に調剤を指示する。
【００６８】
例えば、調剤指示部２３０は、以下のように調剤機器に調剤を指示する。
【００６９】
調剤指示部２３０は、患者ＱＲデータ２９１の「一包化希望」に基づいて一包化するか否かを判定する。
一包化する場合、調剤指示部２３０は、薬剤分包機１２６に一包化を指定して処方箋データ２９２を入力する。薬剤分包機１２６は、処方箋データ２９２に指定されている薬剤（錠剤、カプセル錠など）を薬棚から取得し、取得した薬剤を処方箋データ２９２に指定されている服用方法に従って一包化する。
一包化しない場合、調剤指示部２３０は、薬剤分包機１２６に一包化を指定せずに処方箋データ２９２を入力する。薬剤分包機１２６は、処方箋データ２９２に指定されている薬剤を取得するが、取得した薬剤を一包化しない。
【００７０】
調剤指示部２３０は、患者ＱＲデータ２９１の「粉砕希望」に基づいて薬剤を粉砕するか否かを判定する。
薬剤を粉砕する場合、調剤指示部２３０は、薬剤粉砕機１２７に薬剤の粉砕を指定して処方箋データ２９２を入力する。薬剤粉砕機１２７は、処方箋データ２９２に指定されている薬剤を薬棚から取得し、取得した薬剤を粉砕する。
薬剤分包機１２６と薬剤粉砕機１２７とは連携して動作し、処方箋データ２９２に指定されている薬剤を用意する。
【００７１】
Ｓ１３０の後、Ｓ１４０に進む。
【００７２】
Ｓ１４０において、印刷物生成部２４０は、処方箋データ２９２と患者ＱＲデータ２９１とに基づいてお薬手帳ラベル１１２とお薬カード１１３と薬袋１１４とを生成する。
【００７３】
例えば、印刷物生成部２４０のお薬手帳ラベル印刷部２４１は、処方箋データ２９２と患者ＱＲデータ２９１の「手帳印字サイズ」とをお薬ラベル印刷機１２２に入力する。
お薬ラベル印刷機１２２は、処方箋データ２９２に指定されている薬剤の情報（薬剤名、処方量など）を「手帳印字サイズ」で指定された文字サイズで印字してお薬手帳ラベル１１２を印刷する。
【００７４】
また、印刷物生成部２４０のお薬カード印刷部２４２は、処方箋データ２９２と患者ＱＲデータ２９１の「カード印字サイズ」とをお薬カード印刷機１２３に入力する。
お薬カード印刷機１２３は、処方箋データ２９２に指定されている薬剤の情報を「カード印字サイズ」で指定された文字サイズで印字してお薬カード１１３を印刷する。
【００７５】
また、印刷物生成部２４０の薬袋印刷部２４３は、処方箋データ２９２と患者ＱＲデータ２９１の「薬袋イメージ」とを薬袋印字機１２４に入力する。
薬袋印字機１２４は、処方箋データ２９２に指定されている薬剤の情報や服用方法を「薬袋イメージ」に従って印字して薬袋１１４を生成する。例えば、「薬袋イメージ」に「レセプトイメージ」が指定されている場合、薬袋印字機１２４は薬剤の服用タイミング毎に薬袋１１４を生成する。また、「薬袋イメージ」に「処方箋イメージ」が指定されている場合、薬袋印字機１２４は診療科毎に薬袋１１４を生成する。
【００７６】
Ｓ１４０の後、Ｓ１５０に進む。
【００７７】
Ｓ１５０において、投薬指導画面表示部２５０は、処方箋データ２９２と患者個人データ２９５と患者ＱＲデータ２９１とに基づいて投薬指導画面１３０をディスプレイに表示する。
【００７８】
薬剤師は、投薬指導画面１３０を患者に見せながら、患者に対して薬剤の効能・効果、副作用、服用方法の説明などの投薬指導を行う。
【００７９】
図７は、実施の形態１における投薬指導画面１３０の一例を示す図である。
実施の形態１における投薬指導画面１３０について、図７に基づいて説明する。
【００８０】
投薬指導画面１３０は、図７（１）に示すように「患者カナ氏名」「患者氏名」「性別」「生年月日」「住所」「患者特記」などの情報を示す画面である。
但し、患者ＱＲデータ２９１の「病歴告示」に病歴の未告示が指定されている場合、投薬指導画面表示部２５０は、図７（２）に示すように「患者特記」の「末期の食道癌」（病歴）を隠して投薬指導画面１３０を表示する。
【００８１】
図４に戻り、調剤管理方法の説明をＳ１６０から続ける。
【００８２】
Ｓ１６０において、会計処理部２６０は、処方箋データ２９２に指定されている薬剤の情報（薬剤名、処方量）と薬剤データ２９４が示す薬価とに基づいて薬剤料を算出する。
会計処理部２６０は、患者ＱＲデータ２９１の「一包化希望」に基づいて薬剤の一包化を行ったか否かを判定する。一包化を行った場合、会計処理部２６０は標準設定データ２９３から一包化の手数料を取得する。
会計処理部２６０は、患者ＱＲデータ２９１の「粉砕希望」に基づいて薬剤を粉砕したか否かを判定する。薬剤を粉砕した場合、会計処理部２６０は標準設定データ２９３から粉砕の手数料を取得する。
会計処理部２６０は、薬剤料と各手数料とを合計して請求料金を算出し、算出した請求料金をレジスター（またはディスプレイ）に表示する。
【００８３】
印刷物生成部２４０の領収書印刷部２４４は、会計処理部２６０によって算出された請求料金と患者ＱＲデータ２９１に含まれる「帳票印字サイズ」とを領収書印刷機１２５に入力する。
領収書印刷機１２５は、請求料金を「帳票印字サイズ」で印字して領収書１１５を印刷する。
【００８４】
患者は、請求料金を支払う。
そして、患者は、Ｓ１３０で調剤された薬剤が入った薬袋１１４、Ｓ１４０で印刷されたお薬手帳ラベル１１２とお薬カード１１３、Ｓ１１１で患者ＱＲコード１０２が印刷されたお薬手帳１１１（または持参したお薬手帳１１１）、Ｓ１６０で生成された領収書１１５を受付の担当者から受け取る。
【００８５】
以上で、調剤管理方法の処理は終了する。
【００８６】
以下に、調剤管理方法の補足説明を行う。
【００８７】
患者ＱＲコード１０２が印刷されていないお薬手帳を患者が持参し、患者ＱＲコード１０２を印刷したお薬手帳１１１を患者が希望しない場合、調剤管理装置２００は、標準設定データ２９３の設定に基づいて薬剤を調剤し、印刷物を印刷し、投薬指導画面１３０を表示する。
例えば、薬剤を一包化しないこと、薬剤を粉砕しないこと、病名の告示、所定の手帳印字サイズ、所定のカード印字サイズ、所定の帳票印字サイズなどを標準設定として標準設定データ２９３に予め設定しておく。
【００８８】
患者ＱＲデータ生成部２１１は、「手帳印字サイズ」「カード印字サイズ」「帳票印字サイズ」を患者の「生年月日」に基づいて患者ＱＲデータ２９１に設定しても構わない。
例えば、年齢と印字サイズとを対応付けた印字サイズデータを調剤管理記憶部２９０に記憶しておく。そして、患者ＱＲデータ生成部２１１は「生年月日」に基づいて患者の年齢を算出し、算出した年齢に対応する印字サイズを印字サイズデータから取得し、取得した印字サイズを「手帳印字サイズ」「カード印字サイズ」「帳票印字サイズ」として患者ＱＲデータ２９１に設定する。
【００８９】
印刷物生成部２４０は、印刷物（符号１１２−１１５）の所定の印字部分（例えば、薬剤名、服用方法）だけを「手帳印字サイズ」「カード印字サイズ」「帳票印字サイズ」で印字し、残りの印字部分（例えば、薬剤の説明、備考）を標準設定の印字サイズで印字しても構わない。
例えば、印刷物の種類と所定の印字部分とを対応付けた印字方法データを調剤管理記憶部２９０に記憶しておき、印刷物生成部２４０は印字方法データに基づいて印字を行う。
【００９０】
患者ＱＲコード１０２は、お薬手帳１１１以外のものに印刷しても構わない。
また、患者ＱＲコード１０２をお薬手帳１１１に直接印刷せず、患者ＱＲコード１０２を所定のシールに印刷し、患者ＱＲコード１０２を印刷したシールをお薬手帳１１１に貼付しても構わない。
【００９１】
患者ＱＲコード１０２は、ＱＲコード以外の二次元コード（バーコードを含む）に記録しても構わない。
また、患者ＱＲコード１０２をＱＲコード（またはその他の二次元コード）として印刷せずに、電子データとして記憶媒体に記憶しても構わない。例えば、患者ＱＲコード１０２をＩＣ（Ｉｎｔｅｇｒａｔｅｄ  Ｃｉｒｃｕｉｔ）カードや携帯電話などに搭載されているＩＣチップに記憶しても構わない。
【００９２】
調剤指示部２３０は、処方箋データ２９２と患者ＱＲデータ２９１を表示装置に表示することにより、薬剤師に調剤を指示してもよい。
薬剤師は、処方箋データ２９２に従って薬剤を調剤し、患者ＱＲデータ２９１に従って薬剤を一包化または粉砕する。
また、薬剤師は、患者ＱＲデータ２９１の「薬ケース有無」に基づいて患者が薬ケースを持参しているか否かを判定する。そして、患者が薬ケースを持参している場合、薬剤師は、調剤した薬剤を患者の薬ケースに収納する。但し、調剤指示部２３０が調剤機器（例えば、薬剤分包機１２６）に薬ケースへの薬剤の収納を指示してもよい。
【００９３】
図８は、実施の形態１における調剤管理装置２００のハードウェア資源の一例を示す図である。
図８において、調剤管理装置２００は、ＣＰＵ９０１（Ｃｅｎｔｒａｌ  Ｐｒｏｃｅｓｓｉｎｇ  Ｕｎｉｔ）を備えている。ＣＰＵ９０１は、バス９０２を介してＲＯＭ９０３、ＲＡＭ９０４、通信ボード９０５、ディスプレイ装置９１１、キーボード９１２、マウス９１３、ドライブ装置９１４、磁気ディスク装置９２０（記憶機器の一例）と接続され、これらのハードウェアデバイスを制御する。ドライブ装置９１４は、ＦＤ（Ｆｌｅｘｉｂｌｅ  Ｄｉｓｋ  Ｄｒｉｖｅ）、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）などの記憶媒体を読み書きする装置である。
【００９４】
通信ボード９０５は、有線または無線で、ＬＡＮ（Ｌｏｃａｌ  Ａｒｅａ  Ｎｅｔｗｏｒｋ）、インターネット、電話回線などの通信網に接続している。
【００９５】
磁気ディスク装置９２０には、ＯＳ９２１（オペレーティングシステム）、プログラム群９２２、ファイル群９２３が記憶されている。
【００９６】
プログラム群９２２には、実施の形態において「〜部」として説明する機能を実行するプログラムが含まれる。プログラムは、ＣＰＵ９０１により読み出され実行される。すなわち、プログラムは、「〜部」としてコンピュータを機能させるものであり、また「〜部」の手順や方法をコンピュータに実行させるものである。
【００９７】
ファイル群９２３には、実施の形態において説明する「〜部」で使用される各種データ（入力、出力、判定結果、計算結果、処理結果など）が含まれる。
【００９８】
実施の形態において構成図およびフローチャートに含まれている矢印は主としてデータや信号の入出力を示す。
【００９９】
実施の形態において「〜部」として説明するものは「〜回路」、「〜装置」、「〜機器」であってもよく、また「〜ステップ」、「〜手順」、「〜処理」であってもよい。すなわち、「〜部」として説明するものは、ファームウェア、ソフトウェア、ハードウェアまたはこれらの組み合わせのいずれで実装されても構わない。
【０１００】
実施の形態１において、例えば、以下のような調剤システムについて説明した。
【０１０１】
従来、調剤薬局における業務では患者の特性に合せて各種調剤／薬品情報の提供書の出力、薬品の粉砕指示（分包指示）、薬袋の印字形式の指示等を手動で行うことが必要であり、これらは調剤業務を煩雑なものにしていた。
実施の形態１は、こうした患者の特性情報、調剤時に必要な作業情報（出力すべき帳票、薬品粉砕の有無、薬袋の印字形式等）を調剤薬局にて作成／配布する“お薬手帳”にＱＲコードとして保存する。
そして、次回の患者来局時にそれをスキャニングし、システムが患者の特性を判断し、患者の特性に合わせて業務の効率化を実現する。
【符号の説明】
【０１０２】
１００  調剤システム、１０１  処方箋ＱＲコード、１０２  患者ＱＲコード、１１０  処方箋、１１１  お薬手帳、１１２  お薬手帳ラベル、１１３  お薬カード、１１４  薬袋、１１５  領収書、１２０  ＱＲコードスキャナ、１２２  お薬ラベル印刷機、１２３  お薬カード印刷機、１２４  薬袋印字機、１２５  領収書印刷機、１２６  薬剤分包機、１２７  薬剤粉砕機、１３０  投薬指導画面、１４０  患者特性データ、１４１  患者処方データ、２００  調剤管理装置、２０１  調剤管理システム、２０２  調剤管理サーバ、２０３  処方箋入力端末、２０４  投薬／会計端末、２０５  ＬＡＮ、２１０  患者ＱＲデータ入力部、２１１  患者ＱＲデータ生成部、２１２  お薬手帳生成部、２２０  処方箋データ入力部、２２１  患者ＱＲコード読み取り部、２３０  調剤指示部、２４０  印刷物生成部、２４１  お薬手帳ラベル印刷部、２４２  お薬カード印刷部、２４３  薬袋印刷部、２４４  領収書印刷部、２５０  投薬指導画面表示部、２６０  会計処理部、２９０  調剤管理記憶部、２９１  患者ＱＲデータ、２９２  処方箋データ、２９３  標準設定データ、２９４  薬剤データ、２９５  患者個人データ、９０１  ＣＰＵ、９０２  バス、９０３  ＲＯＭ、９０４  ＲＡＭ、９０５  通信ボード、９１１  ディスプレイ装置、９１２  キーボード、９１３  マウス、９１４  ドライブ装置、９２０  磁気ディスク装置、９２１  ＯＳ、９２２  プログラム群、９２３  ファイル群。
【図１】
2012203810.tif 000003
【図２】
2012203810.tif 000004
【図３】
2012203810.tif 000005
【図４】
2012203810.tif 000006
【図５】
2012203810.tif 000007
【図６】
2012203810.tif 000008
【図７】
2012203810.tif 000009
【図８】
2012203810.tif 000010